(57)【特許請求の範囲】
【請求項１】
鍵盤と、
天面側から底面側まで貫通している貫通孔と、前記貫通孔に譜面立ての一部が配置された際に前記譜面立てを係止するための係止部と、鍵の前後方向の後側に設けられている把持部と、を有する楽器ケースと、
を備え、
前記把持部は、前記貫通孔の内壁の一部を含む、
鍵盤楽器。
【請求項２】
鍵盤と、
鍵の前後方向の後側に設けられている把持部であって天面側から底面側まで貫通している貫通孔の内壁を一部に含む把持部と、前記貫通孔に譜面立ての一部が配置された際に前記譜面立てを係止するための係止部と、を有する楽器ケースと、
を備える鍵盤楽器。
【請求項３】
前記把持部は、鍵の配列方向の中央部かつ鍵の前後方向の後側に設けられている、
請求項１または２に記載の鍵盤楽器。
【請求項４】
前記把持部の天面側に、前記貫通孔に前記譜面立ての一部が配置されて前記譜面立てが前記楽器ケースに係止された際に支点として機能する支点部を含む、
請求項３に記載の鍵盤楽器。
【請求項５】
前記係止部は、前記譜面立てを係止する位置を決定する位置決定部を有する、
請求項１乃至４のいずれかに記載の鍵盤楽器。
【請求項６】
前記位置決定部は、係合凹部を含み、
前記譜面立てにおける前記位置決定部に対応する位置に、係合凸部を含む、
請求項５に記載の鍵盤楽器。
【請求項７】
前記楽器ケースの天面側における前記貫通孔の周囲に、前記譜面立てを前記位置決定部にガイドするために湾曲するガイド部を有する、
請求項５または６に記載の鍵盤楽器。
【請求項８】
前記係止部は、前記貫通孔に前記譜面立ての一部が配置された状態で前記譜面立てに譜面が立てかけられることにより生じる第１方向への力に対して生じる第２方向への力に抵抗する作用点部を含む、
請求項１乃至７のいずれかに記載の鍵盤楽器。
【請求項９】
前記楽器ケースにおいて、前記貫通孔における鍵盤側の内壁と、前記係止部と、は略直角に配置されており、
前記譜面立ては、中央下端から突出している挿入部を有し、前記挿入部は、前記鍵盤側の内壁及び前記係止部に対応させてそれぞれ略直角に配置されている内壁対応部と、前側係止部と、を含む、
請求項１乃至８のいずれかに記載の鍵盤楽器。
【請求項１０】
前記譜面立ての中央下端から突出している挿入部は、前記前側係止部よりも上方側における前面側に、底部を凹湾曲状として鍵の配列方向に形成される凹状溝部を有する、請求項９に記載の鍵盤楽器。
【発明の詳細な説明】
【技術分野】
【０００１】
本発明は、鍵盤楽器に関する。
【背景技術】
【０００２】
従来から、着脱自在の譜面立てを備える鍵盤楽器が提供されている。例えば、特許文献１に開示される鍵盤楽器は、譜面受け部に譜面板が着脱自在に立設されている譜面台装置を備えている。
【先行技術文献】
【特許文献】
【０００３】
【特許文献１】特開２００９−２２９８６０号公報
【発明の開示】
【発明が解決しようとする課題】
【０００４】
譜面立ては、打鍵によりガタつき等があると、演奏に支障が生じる場合がある。一方で、譜面立ての着脱は、容易であることが望まれる。
【０００５】
本発明は、容易に持ち運びできるとともに、譜面立てを容易にガタつきなく取り付けることができる鍵盤楽器を提供することを目的とする。
【課題を解決するための手段】
【０００６】
本発明に係る鍵盤楽器は、鍵盤と、天面側から底面側まで貫通している貫通孔と、前記貫通孔に譜面立ての一部が配置された際に前記譜面立てを係止するための係止部と、鍵の前後方向の後側に設けられている把持部と、を有する楽器ケースと、を備え、前記把持部は、前記貫通孔の内壁の一部を含む。
【発明の効果】
【０００７】
本発明によれば、容易に持ち運びできるとともに、譜面立てを容易にガタつきなく取り付けることができる鍵盤楽器を提供することができる。
【図面の簡単な説明】
【０００８】
【図１】本発明の実施形態に係る鍵盤楽器及び鍵盤楽器に取り付けられた譜面立てを前方から見た斜視図である。
【図２】本発明の実施形態に係る鍵盤楽器及び譜面立てを前方から見た分解斜視図である。
【図３】本発明の実施形態に係る鍵盤楽器を後方から見た斜視図である。
【図４】本発明の実施形態に係る鍵盤楽器の把持部を後面側から見た拡大背面図である。
【図５】本発明の実施形態に係る鍵盤楽器の把持部を後方から見た拡大斜視図である。
【図６】本発明の実施形態に係る鍵盤楽器の把持部を示す、図５のＶＩ−ＶＩ断面図である。
【図７】本発明の実施形態に係る鍵盤楽器の把持部を、図５のＤ１方向（底面側）から見た拡大斜視図である。
【図８】本発明の実施形態に係る鍵盤楽器に取り付けられる譜面立てを前方側から見た斜視図である。
【図９】本発明の実施形態に係る鍵盤楽器に取り付けられる譜面立てを後方側から見た斜視図である。
【図１０】本発明の実施形態に係る鍵盤楽器に譜面立てを取り付ける様子を示す、鍵盤楽器の左右方向の中心における図１のＸＩａ−ＸＩａ断面に相当する断面図であり、（ａ）は譜面立てが取り付けられる前の様子を示し、（ｂ）は譜面立ての挿入部が貫通孔に挿入される様子を示す。
【図１１】本発明の実施形態に係る鍵盤楽器に譜面立てを取り付けた様子を示す断面図であり、（ａ）は鍵盤楽器の左右方向の中心における図１のＸＩａ―ＸＩａ断面図であり、（ｂ）は鍵盤楽器の左右方向の中心からずらした位置における図１のＸＩｂ−ＸＩｂ断面図である。
【図１２】本発明の実施形態に係る鍵盤楽器に取り付けられた譜面立てを取り外す様子を示す、鍵盤楽器の左右方向の中心における図１のＸＩａ−ＸＩａ断面に相当する断面図であり、（ａ）は譜面立てを前方に傾斜させた様子を示し、（ｂ）は譜面立てを引き抜いた様子を示す。
【図１３】本発明の実施形態に係る鍵盤楽器に譜面立てが取り付けられている状態を示す、図１１（ａ）のＸＩＩＩ−ＸＩＩＩ断面図である。
【発明を実施するための形態】
【０００９】
以下、本発明の実施形態を図に基づいて説明する。図１及び図２に鍵盤楽器１０及び譜面立て５０を示す。譜面立て５０は、詳細は後述するが、鍵盤楽器１０に対して着脱自在である。鍵盤楽器１０は、電子ピアノ又は電子キーボードとして構成され、６１鍵の鍵盤１１と、楽器ケース２０とを備える。なお、以下の説明においては、鍵盤１１の鍵の前後方向ＦＢにおける前を前側Ｆ、鍵の前後方向ＦＢの後を後側Ｂとし、鍵盤１１に向かって左を左側Ｌ、右を右側Ｒとする。鍵盤１１の鍵の配列方向ＬＲは、左右方向である。楽器ケース２０は、左右方向を長手方向とする略長矩形板状であり、分割される上ケースと下ケースを備えて、基板や電源である電池等が収納される。
【００１０】
鍵盤楽器１０は、鍵盤１１の後側Ｂである楽器ケース２０の後方上面に、各種設定等を行うことができる操作部１２を備える。操作部１２の左側及び右側には、それぞれスピーカ部１３ａ，１３ｂが設けられる。スピーカ部１３ａ，１３ｂは、楽器ケース２０の上面及び後面に複数の孔が開けられて、対応する楽器ケース２０の内部には図示しないスピーカが設けられる。また、図３に示すように、楽器ケース２０の背面には、各種プラグを接続できる入力部１４が設けられる。
【００１１】
図３〜図７に示すように、楽器ケース２０は、左右方向の略中央後方側に把持部３０を備える。把持部３０は、楽器ケース２０の天面２０ａ（上側）から底面２０ｂ（下側）に亘って貫通する貫通孔２１の内壁２２の一部を含む。本実施形態においては、把持部３０は、貫通孔２１の後側Ｂの内壁２２を含む。貫通孔２１は、左右方向に長い長尺状である。貫通孔２１に倣って、把持部３０は、略棒状に形成されて、把持部３０の後面を含む楽器ケース２０の後面は連続して上面視直線状である。
【００１２】
鍵盤楽器１０は、楽器ケース２０の天面２０ａ側における貫通孔２１の左右端側の周囲に凸状に湾曲するガイド部２３を有する。一方、把持部３０は、凸湾曲状の上面部３０ａ及び下面部３０ｂを有する。ガイド部２３は、把持部３０の上面部３０ａと連続する曲面である。ガイド部２３の曲率は、把持部３０の上面部３０ａの曲率よりも小さく設定される。
【００１３】
図４に示すように、貫通孔２１は、上側及び下側共に、楽器ケース２０の後面側に開放する後方開放部２１ａ，２１ｂを含む。従って、把持部３０の上下方向の寸法Ｔ１は、把持部３０と隣接する楽器ケース２０の上下方向の寸法（厚み）Ｔ２よりも小さい。これにより、把持部３０を程よく細身で握り易い太さとすることができる。そして、下側の後方開放部２１ｂにより、鍵盤楽器１０を机上等に載置した状態においても、後方開放部２１ｂから貫通孔２１に手を挿入して把持部３０を容易に握ることができる。
【００１４】
また、使用者（ユーザ）が把持部３０を握って鍵盤楽器１０を良好に持ち運びできるように、持ち運び時の鍵盤楽器１０の左右のバランスをなるべく均一にするように、電源として用いられる複数の電池は、楽器ケース２０における鍵の配列方向ＬＲの中央付近に配置されている。
【００１５】
楽器ケース２０は、図７に示すように、係止部２４を有する。係止部２４は、詳細は後述するが、貫通孔２１に譜面立て５０の一部が配置された際に譜面立て５０を係止するためのものである。係止部２４は、具体的には、楽器ケース２０の底面２０ｂ側における貫通孔２１の前方側に配置された、下方に向けた段状の面である。従って、貫通孔２１における鍵盤１１側（前側Ｆ）の内壁２２と、係止部２４と、は略直角（符号ＰＥ）に配置される。
【００１６】
係止部２４は、譜面立て５０を係止する位置を決定する位置決定部４０を有する。位置決定部４０は、係止部２４の貫通孔２１側の縁部（角部）における長手方向中央に位置する切欠き状の係合凹部４１を含む。後述するが、鍵盤楽器１０は、譜面立て５０における位置決定部４０に対応する位置に係合凸部４２を含む（図８、図１１参照）。
【００１７】
図８に示すように、譜面立て５０は、平面部を上下方向に向けて左右方向に長尺状に形成される横板５１と、横板５１の後端縁から上方に延びて、左右方向の寸法を横板５１と略同一とする背板５２とを含む。なお、横板５１と背板５２には、両者の外形に沿って側壁が形成されている。横板５１は、左右方向に複数の溝５１ａと、前端で突出する左右方向に長い突出部５１ｂを含む。背板５２は、左右にそれぞれ各３カ所に開けられる長矩形穴部５２ａを含む。譜面立て５０は、楽譜を横板５１に載置して、背板５２に立てかけて使用される。
【００１８】
譜面立て５０は、譜面立て５０の中央下端５０ａから突出している挿入部５３を含む。挿入部５３は、具体的には、横板５１の下面から下方に向けて突出している。挿入部５３は、左右方向の幅を貫通孔２１と略同一（又は、貫通孔２１より狭い）とされる前板５３ａを含む。前板５３ａは、後述する凹状溝部５７、傾斜部５８、内壁対応部５９を含む。
【００１９】
挿入部５３は、前面視において左右縁部が先端部に向けて微小に窄まるテーパ状の形状である。換言すれば、挿入部５３の前板５３ａは、左右方向の幅が先端に向かって漸次微小に縮小されている。前板５３ａの左右両端部で接続するリブ５５は、前板５３ａの両端部に倣って配置される。前板５３ａの傾斜部５８は、横板５１の突出部５１ｂと接続されている。
【００２０】
挿入部５３は、下方の先端部が前方に向けて直角に屈曲して上方に向けた面とされる前側係止部５４を含む。挿入部５３は、前側係止部５４における左右方向略中央に凸状とされる係合凸部４２を含む。位置決定部４０は、係合凸部４２を含み、位置決定部４０の係合凹部４１と凹凸係合可能に形成される（図１３参照）。
【００２１】
挿入部５３には、前側係止部５４よりも上方側における前面側（前板５３ａの前面）に凹状溝部５７が形成される。凹状溝部５７は、底部を凹湾曲状５７ａとする、左右方向に亘る溝である。挿入部５３は、凹状溝部５７と上方で接続して上方に延びて、かつ、上方側が前方に突出するように傾斜する傾斜部５８を含む。凹状溝部５７及び傾斜部５８は、共に前側係止部５４や、後述の後側係止部５５ａよりも上方に位置する。
【００２２】
図９に示すように、挿入部５３は、前板５３ａの左右端部及び前板５３ａの後面から後方に向けて延設される４枚のリブ５５を含む。リブ５５は、側面視において、頂点を下方に向けた略三角状である。リブ５５は、後述の前側係止部５４の下面と、前板５３ａの後面と、横板５１の下面と接続して挿入部５３を補強している。また、挿入部５３は、リブ５５間でリブ５５を補強する横リブ５６を含む。
このような挿入部５３の構造により、楽器ケース２０の貫通孔２１内で安定的に譜面立て５０が楽器ケース２０に係止される。
【００２３】
挿入部５３は、後側係止部５５ａを含む。後側係止部５５ａは、各リブ５５の後部に配置される。後側係止部５５ａは、側面視において、挿入部５３の先端から上方に向けて延びる縁線部５５ｂから後方に向けて円弧状に膨出する凸円弧縁部５５ａ１と、凸円弧縁部５５ａ１から凹円弧状に凹む凹円弧縁部５５ａ２と、凹円弧縁部５５ａ２から上方に向けて直線状に延びる直線縁部５５ａ３を備える。図１１（ａ），（ｂ）に示すように、後側係止部５５ａは、凸円弧縁部５５ａ１と凹円弧縁部５５ａ２との接続部で把持部３０の上面である上面部３０ａと係止する。鍵盤楽器１０の楽器ケース２０は、把持部３０の天面２０ａ側に、貫通孔２１に譜面立て５０の一部である挿入部５３が配置されて譜面立て５０が楽器ケース２０の把持部３０の上面部３０ａに係止された際に支点として機能する支点部Ｑを含む。
【００２４】
図１や図１１に示すように、譜面立て５０の一部である挿入部５３が貫通孔２１に配置され、譜面立て５０に譜面が立てかけられることにより、背板５２が後方に倒れる方向（第１方向Ｓ１、図１１参照）に力が生じる。すると、譜面立て５０には支点部Ｑ回りに回転力が生じる。このとき、係止部２４は、略水平段部とされる前側係止部５４に当接することによる垂直方向（第２方向Ｓ２）の力に抵抗する力の作用点部Ｐを含む。
【００２５】
なお、質量が横板５１や挿入部５３よりも大きい譜面立て５０の背板５２は、支点部Ｑよりも後方側に位置されているので、譜面立て５０に譜面を立てかけていない状態でも、若干の力が第１方向Ｓ１、第２方向Ｓ２に生じる。従って、譜面立て５０に譜面を立てかけていなくても、譜面立て５０は図１１（ａ），（ｂ）に示す定常状態とすることができる。しかしながら、譜面を立てかけることにより、顕著に作用点部Ｐの力が大きくなる。従って、譜面立てを立てかけていない状態では、譜面立て５０は容易に支点部Ｑ回りに前方に傾く。
【００２６】
また、譜面立て５０の挿入部５３は、鍵盤１１側の内壁２２及び係止部２４に対応させてそれぞれ略直角に配置されている内壁対応部５９と、前側係止部５４と、を含む。すなわち、内壁対応部５９は、凹状溝部５７から前側係止部５４まで側面視直線状の平面とされて、前側係止部５４と略直角に接続される。譜面立て５０に譜面が立てかけられることにより第１方向Ｓ１の力が生じると、内壁対応部５９は貫通孔２１の鍵盤１１側の内壁２２と当接する。
【００２７】
貫通孔２１の左右方向の幅寸法Ｔ３（図５参照）は、挿入部５３の左右方向の最大幅寸法Ｔ４（図８参照）よりも大きい。また、貫通孔２１の前後方向の寸法Ｔ５（図１０（ａ）参照）は、後側係止部５５ａの凹円弧縁部５５ａ２の支点部Ｑを構成する点（例えば、凹円弧縁部５５ａ２の最深点）から傾斜部５８の所定位置までの寸法Ｔ６よりも小さい。これにより、挿入部５３の貫通孔２１への挿入が途中で規制されて、楽器ケース２０の天面２０ａと横板５１の下面との間に隙間を生じさせることができる。すなわち、前記所定位置とは、挿入部５３の貫通孔２１への挿入が規制される位置である。また、前記所定位置から前側係止部５４までの寸法Ｔ７は、貫通孔２１の天面２０ａ側における鍵盤１１側の縁２２ａから係止部２４までの寸法Ｔ８と、係止部２４と前側係止部５４が係止可能な程度に略同一に設定される。
【００２８】
また、譜面立て５０が楽器ケース２０に取り付けられた状態における支点部Ｑから挿入部５３の先端までの寸法Ｔ９は、支点部Ｑから楽器ケース２０の底面２０ｂまでの寸法Ｔ１０よりも小さい。これにより、譜面立て５０の挿入部５３を貫通孔２１に挿入しても、挿入部５３の先端が机上等の面に当接してしまうことがない。また、把持部３０の下面部３０ｂから底面２０ｂまでの寸法Ｔ１１と、係止部２４から底面２０ｂまでの寸法は、寸法Ｔ１１とされ略同一とされる。
【００２９】
次に、譜面立て５０の取付け・取外しの操作を説明する。譜面立て５０の鍵盤楽器１０（楽器ケース２０）への取付けは、図１０（ａ）に示す譜面立て５０の取付け前の楽器ケース２０の貫通孔２１に、図１０（ｂ）に示すように、貫通孔２１の上方向から譜面立て５０の挿入部５３の先端部を貫通孔２１に挿入する。このとき、前面視テーパ状とされる挿入部５３の左右両端部（左右両端部のリブ５５）がガイド部２３と摺接することにより、挿入部５３（譜面立て５０）は左右方向にセンタリングされる。従って、図１１（ａ）及び図１３に示すように、位置決定部４０における係合凹部４１と係合凸部４２が凹凸係合する。
【００３０】
なお、別の実施例として、楽器ケース２０側に係合凸部４２が設けられ、譜面立て５０側に係合凹部４１が設けられていてもよい。楽器ケース２０と譜面立て５０との位置関係を決定する位置決定部４０が、少なくとも楽器ケース２０及び譜面立て５０のいずれかに存在すればよい。
【００３１】
また、詳細は後述するが、譜面立て５０の前後の傾き具合によっては、縁２２ａと傾斜部５８及び把持部３０の上面部３０ａと凸円弧縁部５５ａ１は、それぞれ摺接して、挿入部５３の前後方向は貫通孔２１の内部で案内されることもある。このようにして、図１１（ｂ）に示すように、係止部２４と前側係止部５４は係止する。そして、図１１（ａ）、（ｂ）に示すように、把持部３０の上面部３０ａと後側係止部５５ａ（凹円弧縁部５５ａ２）は係止する。従って、使用者は、挿入部５３を貫通孔２１に挿入すれば、正確な位置決めの必要無く譜面立て５０を鍵盤楽器１０に取り付けることができる。
【００３２】
また、図１１（ａ），（ｂ）の定常状態においては、挿入部５３の傾斜部５８と貫通孔２１の天面２０ａ側の縁２２ａとの間には隙間Ｇが形成される。そして、譜面立て５０を取り外す際には、図１２（ａ）に示すように、隙間Ｇ分だけ支点部Ｑ回りに譜面立て５０を前側に倒す。すると、挿入部５３の傾斜部５８と貫通孔２１の天面２０ａ側の縁２２ａとが当接する。その後、譜面立て５０を上方に引き抜くと、縁２２ａは、傾斜部５８から凹状溝部５７まで倣って摺動して相対的に移動する。同時に、支点部Ｑで凹円弧縁部５５ａ２と当接していた把持部３０の上面部３０ａは、凸円弧縁部５５ａ１に倣って摺動して相対的に移動する。
【００３３】
すなわち、凹状溝部５７の後側に設けられているリブ５５側に凸円弧縁部５５ａ１が配置されるため、凹状溝部５７と縁２２ａ及び凸円弧縁部５５ａ１と上面部３０ａの摺動により、使用者が意識しなくても、係止部２４と前側係止部５４（及び前側の内壁２２と内壁対応部５９）は漸次離間させることができる。
【００３４】
なお、縁２２ａと凹状溝部５７の摺動及び上面部３０ａと凸円弧縁部５５ａ１との摺動は、譜面立て５０の取付けの際にも行われる。この場合、係止部２４と前側係止部５４（及び前側の内壁２２と内壁対応部５９）は漸次接近される。
【００３５】
このようにして、図１２（ｂ）に示すように、前側係止部５４と係止部２４との係止及び係合凸部４２と係合凹部４１との位置決定部４０における凹凸係合が解除される。従って、使用者は、譜面立て５０を僅かに前側Ｆに倒して引き抜くだけで、特別な操作なく譜面立て５０を鍵盤楽器１０から容易に取り外すことができる。
【００３６】
以上、本発明の実施形態によれば、鍵盤楽器１０は、鍵盤１１と、楽器ケース２０とを備えて、楽器ケース２０は、天面２０ａ側から底面２０ｂ側まで貫通している貫通孔２１と、貫通孔２１に譜面立て５０の一部である挿入部５３が配置された際に譜面立て５０を係止するための係止部２４とを備える。これにより、貫通孔２１に譜面立て５０の挿入部５３を挿入するだけで譜面立て５０を楽器ケース２０に係止させることができるので、譜面立て５０を容易にガタつきなく楽器ケース２０に取り付けることができる鍵盤楽器１０を提供することができる。
【００３７】
また、楽器ケース２０は、鍵の配列方向ＬＲの中央部かつ鍵の前後方向ＦＢの後側Ｂに設けられている把持部３０を備え、把持部３０は、貫通孔２１の内壁２２の一部である後側Ｂの内壁２２を含む。これにより、譜面立て５０を取り付ける貫通孔２１に手を入れて、把持部３０を把持することで鍵盤楽器１０を移動させたり、鍵盤楽器１０を把持したまま演奏したりすることが容易である。
【００３８】
また、係止部２４は、譜面立てを係止する位置を決定する位置決定部４０を有する。これにより、譜面立て５０の位置決めを確実に行うことができる。
【００３９】
また、位置決定部４０は、係合凹部４１を含み、譜面立て５０における位置決定部４０に対応する位置に、係合凸部４２を含む。これにより、構成が簡単な係合凹部４１と係合凸部４２の凹凸係合により、譜面立て５０の位置決めをガタつきなく容易に行うことができる。
【００４０】
また、楽器ケース２０は、楽器ケース２０の天面２０ａ側における貫通孔２１の周囲に、譜面立て５０を位置決定部４０にガイドするために湾曲するガイド部２３を有する。これにより、使用者が意識しなくても譜面立て５０の配置は所定の係止位置に案内されるので、譜面立て５０の取付けを容易とすることができる。
【００４１】
また、鍵盤楽器１０は、把持部３０の天面２０ａ側に、貫通孔２１に譜面立て５０の一部である挿入部５３が配置されて譜面立て５０が楽器ケース２０に係止された際に支点として機能する支点部Ｑを含む。これにより、譜面立て５０の楽器ケース２０への取付け、取外しの際には、使用者が意識しなくても、係止部２４と前側係止部５４との係止及び前側の内壁２２と内壁対応部５９との当接の設定・解除が行われるようにすることができる。
【００４２】
また、係止部２４は、貫通孔２１に譜面立て５０の一部が配置された状態で譜面立て５０に譜面が立てかけられることにより生じる第１方向Ｓ１への力に対して生じる第２方向Ｓ２への力に抵抗する作用点部Ｐを含む。これにより、譜面立て５０に譜面が立てかけられた際には、係止部２４により更に確実に譜面立て５０を係止することができる。
【００４３】
また、楽器ケース２０において、貫通孔２１における鍵盤１１側の内壁２２と、係止部２４とは、略直角（符号ＰＥ）に配置されており、譜面立て５０は、中央下端５０ａから突出している挿入部５３を有し、挿入部５３は、鍵盤１１側の内壁２２及び係止部２４に対応させてそれぞれ略直角に配置されている内壁対応部５９と、前側係止部５４とを含む。これにより、譜面立て５０は、前側係止部５４と係止部２４との係止と、鍵盤１１側の内壁２２と内壁対応部５９との当接により、更に確実に楽器ケース２０に係止することができる。
【００４４】
譜面立て５０の中央下端から突出している挿入部５３は、前側係止部５４よりも上方側における前面側に、底部を凹湾曲状として左右方向に形成される凹状溝部５７を有する。これにより、凹状溝部５７を用いて譜面立て５０を容易に楽器ケース２０から取り外すことができる。
【００４５】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００４６】
以下に、本願出願の最初の特許請求の範囲に記載された発明を付記する。
［１］鍵盤と、
天面側から底面側まで貫通している貫通孔と、前記貫通孔に譜面立ての一部が配置された際に前記譜面立てを係止するための係止部と、を有する楽器ケースと、
備える鍵盤楽器。
［２］前記楽器ケースは、鍵の配列方向の中央部かつ鍵の前後方向の後側に設けられている把持部を備え、
前記把持部は、前記貫通孔の内壁の一部を含む、
前記［１］に記載の鍵盤楽器。
［３］前記把持部の天面側に、前記貫通孔に前記譜面立ての一部が配置されて前記譜面立てが前記楽器ケースに係止された際に支点として機能する支点部を含む、
前記［２］に記載の鍵盤楽器。
［４］前記係止部は、前記譜面立てを係止する位置を決定する位置決定部を有する、
前記［１］乃至［３］のいずれかに記載の鍵盤楽器。
［５］前記位置決定部は、係合凹部を含み、
前記譜面立てにおける前記位置決定部に対応する位置に、係合凸部を含む、
前記［４］に記載の鍵盤楽器。
［６］前記楽器ケースの天面側における前記貫通孔の周囲に、前記譜面立てを前記位置決定部にガイドするために湾曲するガイド部を有する、
前記［４］または［５］に記載の鍵盤楽器。
［７］前記係止部は、前記貫通孔に前記譜面立ての一部が配置された状態で前記譜面立てに譜面が立てかけられることにより生じる第１方向への力に対して生じる第２方向への力に抵抗する作用点部を含む、
前記［１］乃至［６］のいずれかに記載の鍵盤楽器。
［８］前記楽器ケースにおいて、前記貫通孔における鍵盤側の内壁と、前記係止部と、は略直角に配置されており、
前記譜面立ては、中央下端から突出している挿入部を有し、前記挿入部は、前記鍵盤側の内壁及び前記係止部に対応させてそれぞれ略直角に配置されている内壁対応部と、前側係止部と、を含む、
前記［１］乃至［７］のいずれかに記載の鍵盤楽器。
［９］前記譜面立ての中央下端から突出している挿入部は、前記前側係止部よりも上方側における前面側に、底部を凹湾曲状として鍵の配列方向に形成される凹状溝部を有する、前記［８］に記載の鍵盤楽器。
【符号の説明】
【００４７】
１０      鍵盤楽器            １１      鍵盤
１２      操作部              １３ａ，１３ｂ    スピーカ部
１４      入力部              ２０      楽器ケース
２０ａ    天面                ２０ｂ    底面
２１      貫通孔              ２１ａ    後方開放部
２１ｂ    後方開放部          ２２      内壁
２２ａ    縁                  ２３      ガイド部
２４      係止部              ３０      把持部
３０ａ    上面部              ３０ｂ    下面部
４０      位置決定部          ４１      係合凹部
４２      係合凸部            ５０      譜面立て
５０ａ    中央下端            ５１      横板
５１ａ    溝                  ５１ｂ    突出部
５２      背板                ５２ａ    長矩形穴部
５３      挿入部              ５３ａ    前板
５４      前側係止部          ５５      リブ
５５ａ    後側係止部          ５５ａ１  凸円弧縁部
５５ａ２  凹円弧縁部          ５５ａ３  直線縁部
５５ｂ    縁線部              ５６      横リブ
５７      凹状溝部            ５７ａ    凹湾曲状
５８      傾斜部              ５９      内壁対応部
Ｇ        隙間                Ｐ        作用点部
Ｑ        支点部              Ｓ１      第１方向
Ｓ２      第２方向
【図１】
0006868199.tif 000002
【図２】
0006868199.tif 000003
【図３】
0006868199.tif 000004
【図４】
0006868199.tif 000005
【図５】
0006868199.tif 000006
【図６】
0006868199.tif 000007
【図７】
0006868199.tif 000008
【図８】
0006868199.tif 000009
【図９】
0006868199.tif 000010
【図１０】
0006868199.tif 000011
【図１１】
0006868199.tif 000012
【図１２】
0006868199.tif 000013
【図１３】
0006868199.tif 000014